(57)【要約】【課題】印刷用紙をセットした状態においても、長期にわたって塵埃の侵入を防止することができ、印刷品質を保持することができるプリンタを提供すること。【解決手段】印刷用紙を取り込むための取込口４と、前記印刷用紙が印刷のための所定の印刷位置にセットされた状態で、前記取込口４を遮蔽する遮蔽位置と前記取込口４を開放する開放位置との間を移動可能な遮蔽カバー１２とを備えることを特徴とする。【選択図】図１
2008023740.tif 000002
【特許請求の範囲】
【請求項１】
印刷用紙を取り込むための取込口と、
前記印刷用紙が印刷のための所定の印刷位置にセットされた状態で、前記取込口を遮蔽する遮蔽位置と前記取込口を開放する開放位置との間を移動可能な遮蔽カバーと
を備えることを特徴とするプリンタ。
【請求項２】
印刷用データを記憶する記憶媒体が着脱可能に取り付けられる取付口を備え、
前記遮蔽カバーが前記遮蔽位置に配されると、前記取付口が遮蔽されることを特徴とする請求項１に記載のプリンタ。
【請求項３】
前記印刷用紙が前記印刷位置から取り外された状態で、前記取込口を被覆する被覆カバーを備えることを特徴とする請求項１又は請求項２に記載のプリンタ。
【請求項４】
前記印刷用紙を収容する用紙カセットを備え、
前記用紙カセットが前記印刷位置にセットされた状態で、前記用紙カセットに収容された印刷用紙を前記取込口に送り込むことができるようになっていることを特徴とする請求項１から請求項３のいずれか一項に記載のプリンタ。
【請求項５】
前記遮蔽カバーが前記遮蔽位置に配された遮蔽状態を検出する検出手段と、
印刷を制御する制御部とを備え、
前記検出手段が、前記遮蔽状態を検出すると、
前記制御部が、印刷開始前においては印刷を開始しないように制御し、印刷開始後印刷終了前においては印刷を中止するように制御することを特徴とする請求項１から請求項４のいずれか一項に記載のプリンタ。
【発明の詳細な説明】
【技術分野】
【０００１】
本発明は、文字や画像などを印刷するプリンタに関する。
【背景技術】
【０００２】
従来より、文字や画像などを印刷する種々のプリンタが利用されている。
これらプリンタの中には、本体部と、この本体部の側面に設けられ、印刷用紙を取り込むための取込口と、この取込口全体を覆う開閉カバーとを備えたものが知られている（例えば、非特許文献１参照。）。そして、印刷するときには、開閉カバーを開けて印刷用紙をセットすることにより、取込口から印刷用紙が取り込まれるようになっている。一方、印刷しないときには、印刷用紙を取り外して開閉カバーを閉めることにより、取込口全体が覆われるようになっている。
【０００３】
ここで、印刷しないとき、すなわちプリンタを使用しないときには、印刷の都度、印刷用紙をセットする煩わしさを解消するため、印刷用紙をセットした状態のままにしておくことが多い。
【非特許文献１】“デザイン  ＳＥＬＰＨＹ  ＣＰ７１０”、[online]、［平成１８年７月７日検索］、インターネット＜URL：http://web.canon.jp/Imaging/cp710/fea-j.html＞
【発明の開示】
【発明が解決しようとする課題】
【０００４】
しかしながら、上記のようなプリンタでは、印刷用紙をセットすると、開閉カバーを閉めることができないため、印刷用紙をセットした状態のままにしておくと、取込口から塵埃が侵入してしまい、適正な印刷が阻害されてしまうという問題がある。
【０００５】
本発明は、このような事情に鑑みてなされたものであって、印刷用紙をセットした状態においても、長期にわたって塵埃の侵入を防止することができ、印刷品質を保持することができるプリンタを提供することを目的とする。
【課題を解決するための手段】
【０００６】
上記課題を解決するために、本発明は以下の手段を提供する。
本発明に係るプリンタは、印刷用紙を取り込むための取込口と、前記印刷用紙が印刷のための所定の印刷位置にセットされた状態で、前記取込口を遮蔽する遮蔽位置と前記取込口を開放する開放位置との間を移動可能な遮蔽カバーとを備えることを特徴とする。
【０００７】
この発明に係るプリンタにおいては、印刷用紙が印刷位置にセットされた状態で、遮蔽カバーが、遮蔽位置と開放位置との間を移動する。
これにより、印刷用紙がセットされた状態においても、取込口を遮蔽することができる。そのため、塵埃の侵入を防止することができ、印刷品質を保持することができる。
【０００８】
また、本発明に係るプリンタは、印刷用データを記憶する記憶媒体が着脱可能に取り付けられる取付口を備え、前記遮蔽カバーが前記遮蔽位置に配されると、前記取付口が遮蔽されることを特徴とする。
【０００９】
この発明に係るプリンタにおいては、遮蔽カバーが遮蔽位置に配されると、取付口が遮蔽される。
これにより、印刷用紙がセットされた状態においても、取付口を遮蔽することができる。そのため、記憶媒体の接触不良などを防止することができる。
【００１０】
また、本発明に係るプリンタは、前記印刷用紙が前記印刷位置から取り外された状態で、前記取込口を被覆する被覆カバーを備えることを特徴とする。
【００１１】
この発明に係るプリンタにおいては、印刷用紙が印刷位置から取り外された状態で、被覆カバーによって取込口が被覆される。
これにより、塵埃の侵入を確実に防止することができる。
【００１２】
また、本発明に係るプリンタは、前記印刷用紙を収容する用紙カセットを備え、前記用紙カセットが前記印刷位置にセットされた状態で、前記用紙カセットに収容された印刷用紙を前記取込口に送り込むことができるようになっていることを特徴とする。
【００１３】
この発明に係るプリンタにおいては、用紙カセットが印刷位置にセットされた状態で、用紙カセットに収容された印刷用紙が取込口に送り込まれる。
これにより、印刷用紙に塵埃などが付着することを防止することができる。
【００１４】
また、本発明に係るプリンタは、前記遮蔽カバーが前記遮蔽位置に配された遮蔽状態を検出する検出手段と、印刷を制御する制御部とを備え、前記検出手段が、前記遮蔽状態を検出すると、前記制御部が、印刷開始前においては印刷を開始しないように制御し、印刷開始後印刷終了前においては印刷を中止するように制御することを特徴とする。
【００１５】
この発明に係るプリンタにおいては、検出手段によって遮蔽状態が検出されると、制御部によって、印刷開始前においては印刷が開始されないように制御され、印刷開始後印刷終了前においては印刷が中止されるように制御される。
これにより、紙の撓みや紙つまり等を防止することができる。
【発明の効果】
【００１６】
本発明によれば、印刷用紙が印刷位置にセットされた状態においても、遮蔽カバーによって、取込口を遮蔽することができることから、印刷用紙がセットされた状態においても、塵埃の侵入を防止することができ、印刷品質を保持することができる。
【発明を実施するための最良の形態】
【００１７】
（実施形態）
以下、本発明の実施形態におけるプリンタについて、図面を参照して説明する。
図１は、本発明の実施形態としてのプリンタを示したものである。
プリンタ１は、直方体形状の本体部２を備えている。本体部２の前面部（四つの側面部のうちの一つの側面部）２ａには、印刷用紙３（図２に示す）を取り込むための取込口４が形成されている。
【００１８】
また、前面部２ａのうち、取込口４の上方近傍には、取り込まれた印刷用紙３を排出するための排出口６が形成されている。
また、前面部２ａの上端部には、印刷用データが記憶されるメモリーカード（記憶媒体）が着脱可能に取り付けられるカードスロット（取付口）１１が設けられている。
また、前面部２ａの下端部には、本体部２の幅方向Ｗに延びる矩形状の被覆カバー５が取り付けられている。被覆カバー５は、不図示のヒンジによって、幅方向Ｗに延びる回転軸線Ｌ１を中心として回転可能に前面部２ａに取り付けられている。そして、被覆カバー５を閉じると、取込口４及びカードスロット１１が被覆され、一方、被覆カバー５を開くと、取込口４及びカードスロット１１が開放（露出）されるようになっている。
【００１９】
さらに、前面部２ａには、図２に示す用紙カセット１５が着脱可能に設けられるようになっている。
用紙カセット１５は、中空の直方体形状に形成されており、内部に印刷用紙３を収容するようになっている。また、用紙カセット１５の天面には、開閉可能なカセットカバー１６が設けられている。このカセットカバー１６を開くことにより、その開口部を介して印刷用紙３が用紙カセット１５内に収容され、カセットカバー１６を閉じることにより、印刷用紙３が用紙カセット１５内に収容された状態で、開口部が覆われるようになっている。
また、用紙カセット１５の一方の短辺部には、取込口４に取り付けるための取付部１７が設けられている。
【００２０】
このような構成のもと、図３に示すように、被覆カバー５を開いた状態で、用紙カセット１５の一方の短辺部を取込口４に挿し込むことにより、取付部１７を介して用紙カセット１５が着脱可能に取り付けられるようになっている。このとき印刷用紙３が配された位置が印刷位置Ｐとなる。
なお、用紙カセット１５は、被覆カバー５の上方の取込口４に取り付けられることから、用紙カセット１５を取り付けた状態では、被覆カバー５を閉じることはできない。
【００２１】
また、本体部２の天面には、各種操作を行うための操作ボタン９が設けられている。
さらに、本体部２の天面には、遮蔽カバー１２が取り付けられている。
遮蔽カバー１２は、略矩形状のカバー本体部１３と遮蔽部１４とが一体的に形成されたものであり、断面略Ｌ字状に形成されている。すなわち、遮蔽カバー１２は、カバー本体部１３の一方の長辺部１３ａの全長から、カバー本体部１３の延在面に交差する方向（カバー本体部１３の厚さ方向）に遮蔽部１４が延ばされて形成されている。
【００２２】
カバー本体部１３の他方の長辺部（基端側）１３ｂの両端には、カバー本体部１３の長手方向内方に向けられた一対の回転軸２５が設けられている。そして、この回転軸２５が本体部２の天面に回転可能に取り付けられることにより、遮蔽カバー１２は、回転軸２５の回転軸線Ｌ２を中心として、本体部２に対して回転可能な状態になっている。すなわち、図３に示すように、遮蔽カバー１２を回転させて本体部２に対して開くと、取込口４及びカードスロット１１が開放（露出）されるようになっており、一方、図４に示すように、遮蔽カバー１２を閉じると、遮蔽部１４が前面部２ａの前方に配されて、取込口４及びカードスロット１１が遮蔽されるようになっている。
なお、遮蔽カバー１２を開いたときに遮蔽カバー１２が配される位置が開放位置ＯＰ（図３に示す）となり、閉じられたときに遮蔽カバー１２が配される位置が遮蔽位置ＣＬ（図４に示す）となる。
【００２３】
また、図３に示すように、遮蔽部１４の短手寸法ｄ１は、前面部２ａの短手寸法（高さ寸法）ｄ２よりも小さく設定されている。そのため、図４に示すように、遮蔽カバー１２を遮蔽位置ＣＬに配すると、遮蔽部１４の先端辺１４ａは、取込口４の上辺部と略等しい高さに配されるようになっている。これにより、用紙カセット１５を取込口４に取り付けた状態で、遮蔽カバー１２を遮蔽位置ＣＬに配すると、遮蔽部１４の先端辺１４ａが、用紙カセット１５の天面に当接し、遮蔽部１４の先端辺１４ａと用紙カセット１５の天面との間のクリアランスが生じないようになっている。
【００２４】
また、図５及び図６に示すように、遮蔽カバー１２の回転軸２５の先端には、径方向外方に突出する突出部２６が設けられている。この突出部２６は、回転軸２５の回転に合わせて一体的に回転するようになっている。
また、回転軸２５の近傍には、レバー２９を有するマイクロスイッチ（検出手段）２７が設けられている。レバー２９の先端は、突出部２６の回転軌跡上に配されている。
そして、遮蔽カバー１２を遮蔽位置ＣＬに配すると、突出部２６がレバー２９を作動させてマイクロスイッチ２７をオンし、遮蔽カバー１２を遮蔽位置ＣＬから退避させると、突出部２６がレバー２９から離隔し、マイクロスイッチ２７がオフされるようになっている。すなわち、マイクロスイッチ２７によって、遮蔽カバー１２が遮蔽位置ＣＬに配された状態が検出されるようになっている。
【００２５】
さらに、マイクロスイッチ２７は、プリンタ１の印刷機能など全体を制御する制御部２０に接続されている。制御部２０は、印刷するためのヘッド（不図示）を駆動するヘッド駆動部２１に接続されている。また、制御部２０は、取込口４を介して印刷用紙３を本体部２内に取り込むための搬送ローラ（不図示）を駆動するローラ駆動部２２に接続されている。さらに、制御部２０は、操作ボタン９に接続されている。
このような構成のもと、制御部２０は、マイクロスイッチ２７からの出力信号を読み出すと、ヘッド駆動部２１及びローラ駆動部２２の駆動を制御するようになっている。
【００２６】
次に、このように構成された本実施形態におけるプリンタの作用について説明する。
まず、遮蔽カバー１２を開放位置ＯＰに配し、被覆カバー５を開ける。これにより、取込口４及びカードスロット１１が開放される。
そして、印刷用紙３が収容された用紙カセット１５を、取付部１７によって、取込口４に取り付ける。これにより、印刷用紙３が印刷位置Ｐに配される。さらに、必要に応じて、カードスロット１１にメモリーカードを挿し込む。それから、操作ボタン９を操作して印刷を指示する。
【００２７】
すると、制御部２０は、操作ボタン９からの印刷指示信号を読み出し、ローラ駆動部２２を介して搬送ローラを回転させる。これにより、用紙カセット１５に収容された印刷用紙３が取込口４を介して本体部２内に取り込まれる。それから、制御部２０は、ヘッド駆動部２１を介してヘッドを駆動し、これにより取り込まれた印刷用紙３に文字や絵などが印刷される。印刷された印刷用紙３は、図７に示すように、排出口６を介して排出される。
【００２８】
ここで、全ての印刷が完了すると、用紙カセット１５を取り付けた状態のままで置いておくことが多い。
そこで、全ての印刷が完了したときに、用紙カセット１５を取り付けた状態のまま、遮蔽カバー１２を遮蔽位置ＣＬに配する。これにより、取込口４及びカードスロット１１が遮蔽される。このとき、遮蔽部１４の先端辺１４ａと用紙カセット１５の天面との間のクリアランスが生じないことから、取込口４及びカードスロット１１が確実に遮蔽される。
【００２９】
さらに、遮蔽カバー１２を遮蔽位置ＣＬに配すると、突出部２６によってマイクロスイッチ２７がオンされる。すると、制御部２０は、マイクロスイッチ２７の出力信号を読み出し、印刷途中（印刷開始後印刷終了前）であるか否かを判定する。そして、制御部２０は、印刷途中でないと判定すると、操作ボタン９から印刷指示信号が出力されても、ローラ駆動部２２及びヘッド駆動部２１を駆動しないように制御する。
そのため、印刷開始前に遮蔽カバー１２が遮蔽位置ＣＬに配されると、操作ボタン９又はＰＣなどにより印刷を指示しても印刷が開始されないようにロックされる。
【００３０】
一方、制御部２０は、印刷途中であると判定すると、ヘッド駆動部２１及びローラ駆動部２２の駆動を停止する。
そのため、印刷途中に遮蔽カバー１２が遮蔽位置ＣＬに配されると、印刷が停止される。
【００３１】
以上より、本実施形態におけるプリンタ１によれば、印刷用紙３を印刷位置Ｐに配した状態のまま、遮蔽カバー１２を閉めることができ、取込口４を遮蔽することができる。そのため、本体部２内への塵埃の侵入を防止することができ、印刷品質を保持することができる。
また、遮蔽カバー１２を遮蔽位置ＣＬに配することにより、印刷用紙３を印刷位置Ｐに配した状態のまま、カードスロット１１を遮蔽することができるため、メモリーカードの接触不良などを防止することができる。
【００３２】
さらに、被覆カバー５が設けられていることから、用紙カセット１５を取り外すことにより、取込口４及びカードスロット１１を被覆することができ、塵埃の侵入を確実に防止することができる。
また、用紙カセット１５によって印刷用紙３を収容していることから、印刷用紙３に塵埃などが付着することを防止することができる。
また、遮蔽カバー１２が遮蔽位置ＣＬに配されると、遮蔽部１４の先端辺１４ａと、用紙カセット１５の天面との間にクリアランスが生じないことから、取込口４及びカードスロット１１を確実に遮蔽することができる。
【００３３】
さらに、マイクロスイッチ２７によって、遮蔽カバー１２が遮蔽位置ＣＬに配された状態を検出し、検出結果に応じて制御部２０が制御することから、排出口６などが遮蔽されたことによる紙の撓みや紙つまり等を防止することができる。
なお、本発明の技術範囲は上記の実施形態に限定されるものではなく、本発明の趣旨を逸脱しない範囲において、種々の変更を加えることが可能である。
【図面の簡単な説明】
【００３４】
【図１】本発明に係るプリンタの実施形態を示す斜視図である。
【図２】印刷用紙を収容する用紙カセットを示す斜視図である。
【図３】図２の用紙カセットを取込口に取り付けた様子を示す斜視図である。
【図４】図３の遮蔽カバーを遮蔽位置に配した様子を示す斜視図である。
【図５】遮蔽カバーとマイクロスイッチとの位置関係を示すとともに、プリンタの機能ブロックを示す説明図である。
【図６】図５の遮蔽カバーとマイクロスイッチとを拡大して示す説明図である。
【図７】印刷時において印刷用紙を排出している様子を示す斜視図である。
【符号の説明】
【００３５】
１    プリンタ
３    印刷用紙
４    取込口
５    被覆カバー
１１  カードスロット（取付口）
１２  遮蔽カバー
１５  用紙カセット
２０  制御部
２７  マイクロスイッチ（検出手段）
Ｐ    印刷位置
ＣＬ  遮蔽位置
ＯＰ  開放位置
【図１】
2008023740.tif 000003
【図２】
2008023740.tif 000004
【図３】
2008023740.tif 000005
【図４】
2008023740.tif 000006
【図５】
2008023740.tif 000007
【図６】
2008023740.tif 000008
【図７】
2008023740.tif 000009